(57)【要約】  【課題】  従来より操作性を向上することができる映像表示装置を提供する。  【解決手段】  映像表示装置１０は、映像を表示するためのスクリーン１１と、映像を構成する映像光をスクリーン１１に投射するプロジェクタ１２と、利用者による操作を入力する操作領域が形成されたタッチパネル１３と、タッチパネル１３への操作に基づいて映像を変更する位置算出部１４及び映像生成部１５とを備え、タッチパネル１３は、プロジェクタ１２からの映像光が操作領域を通過してスクリーン１１に投射される位置に配置される。【選択図】  図１
2006064862.tif 000002
【特許請求の範囲】
【請求項１】
映像を表示するためのスクリーンと、前記映像を構成する映像光を前記スクリーンに投射するプロジェクタと、利用者による操作を入力する操作領域が形成された操作部と、前記操作部への前記操作に基づいて前記映像を変更する変更部とを備え、
前記操作部は、光が前記操作領域を通過して前記スクリーンに投射される位置に配置されたことを特徴とする映像表示装置。
【請求項２】
前記光は、前記映像光の少なくとも一部であることを特徴とする請求項１に記載の映像表示装置。
【請求項３】
前記操作部は、光学式タッチパネルであることを特徴とする請求項２に記載の映像表示装置。
【請求項４】
前記光は、前記プロジェクタとは別の光源によって出力されることを特徴とする請求項１に記載の映像表示装置。
【請求項５】
請求項１に記載の映像表示装置を備えたことを特徴とする車両。
【発明の詳細な説明】
【技術分野】
【０００１】
本発明は、映像を表示する映像表示装置に関するものである。
【背景技術】
【０００２】
従来、映像を表示する映像表示装置として、映像光が投射されるスクリーンに利用者によってポインタから光が投射されたときに、ポインタからスクリーンに投射された光の位置をカメラによって撮影した映像に基づいて検出するものが知られている（例えば特許文献１参照。）。
【特許文献１】特開平８−９５１５７号公報（第４−５頁、第１図）
【発明の開示】
【発明が解決しようとする課題】
【０００３】
しかしながら、従来の映像表示装置においては、利用者がポインタを持って操作する必要があるので、操作が煩わしいという問題があった。
【０００４】
本発明は、従来の問題を解決するためになされたもので、従来より操作性を向上することができる映像表示装置を提供することを目的とする。
【課題を解決するための手段】
【０００５】
本発明の映像表示装置は、映像を表示するためのスクリーンと、前記映像を構成する映像光を前記スクリーンに投射するプロジェクタと、利用者による操作を入力する操作領域が形成された操作部と、前記操作部への前記操作に基づいて前記映像を変更する変更部とを備え、前記操作部は、光が前記操作領域を通過して前記スクリーンに投射される位置に配置された構成を有している。
【０００６】
この構成により、本発明の映像表示装置は、プロジェクタによって投射される映像光に基づく映像とともに利用者による操作部への操作の様子がスクリーンに表示されるので、利用者に操作状況を直感的に理解させることができ、従来より操作性を向上することができる。
【０００７】
また、本発明の映像表示装置は、前記光は、前記映像光の少なくとも一部である構成を有している。
【０００８】
この構成により、本発明の映像表示装置は、利用者による操作部への操作の様子をスクリーンに表示するためにプロジェクタとは別の光源を備える必要が無いので、利用者による操作部への操作の様子をスクリーンに表示するためにプロジェクタとは別の光源を備える場合と比較して、構成を簡略化することができる。
【０００９】
また、本発明の映像表示装置は、前記操作部は、光学式タッチパネルである構成を有している。
【００１０】
この構成により、本発明の映像表示装置は、操作領域によって映像光を遮らなくても良いので、映像光の光量、コントラスト等を保持することができる。
【００１１】
また、本発明の映像表示装置は、前記光は、前記プロジェクタとは別の光源によって出力される構成を有している。
【００１２】
この構成により、本発明の映像表示装置は、操作領域によって映像光を遮らなくても良いので、映像光の光量、コントラスト等を保持することができる。
【００１３】
また、本発明の車両は、映像表示装置を備えた構成を有している。
【００１４】
この構成により、車両の限られた乗員の位置においても、映像表示装置の操作性を向上することができる。
【発明の効果】
【００１５】
本発明は、従来より操作性を向上することができる映像表示装置を提供することができるものである。
【発明を実施するための最良の形態】
【００１６】
以下、本発明の実施の形態について、図面を用いて説明する。
【００１７】
（第１の実施の形態）
まず、第１の実施の形態に係る映像表示装置の構成について説明する。
【００１８】
図１及び図２に示すように、本実施の形態に係る映像表示装置１０は、映像を表示するためのスクリーン１１と、映像を構成する映像光をスクリーン１１に投射するプロジェクタ１２と、利用者による操作を入力する操作領域１３ａが形成された操作部としてのタッチパネル１３と、タッチパネル１３への利用者の操作位置を算出する位置算出部１４と、プロジェクタ１２によって出力される映像光を位置算出部１４によって算出された操作位置に基づいて生成する映像生成部１５とを備えており、図３及び図４に示すように車両８０内に設置されている。
【００１９】
タッチパネル１３は、スクリーン１１とプロジェクタ１２との間の空間内の位置であって、プロジェクタ１２からの映像光が操作領域１３ａを通過してスクリーン１１に投射される位置に配置されている。また、タッチパネル１３は、図４に示すように、前後方向への回転が可能に車両８０の内部の天井に支持された支持部１３ｂを有しており、使用時以外のときに車両８０の内部の天井に接するように収納されるようになっている。タッチパネル１３としては、例えば、透過性の高い感圧式タッチパネルや、操作領域１３ａが空洞となっていて操作領域１３ａの周囲に赤外線センサが埋め込まれた赤外線式タッチパネル等を使用することができる。タッチパネル１３として感圧式タッチパネルが使用される場合、利用者に操作領域１３ａ内の操作面を物理的に触れさせるので、操作領域１３ａ内の操作面を押す感覚を利用者に指で直接感じさせることができる。一方、タッチパネル１３として赤外線式タッチパネル等の光学式タッチパネルが使用される場合、操作領域１３ａによって映像光を遮らなくても良いので、映像光の光量、コントラスト等を保持することができる。
【００２０】
また、位置算出部１４及び映像生成部１５は、上述したように、タッチパネル１３への操作に基づいて映像を変更するようになっており、変更部を構成している。また、位置算出部１４及び映像生成部１５は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＣＰＵ（Ｃｅｎｔｒａｌ  Ｐｒｏｃｅｓｓｉｎｇ  Ｕｎｉｔ）等によって構成されている。
【００２１】
次に、映像表示装置１０の動作について説明する。なお、説明を判りやすくするために、タッチパネル１３は感圧式タッチパネルを使用した場合とする。
【００２２】
図２に示すように、プロジェクタ１２によってスクリーン１１上にボタン１１ａが映像として表示させられているとき、利用者は、自らの手の指９０の影１１ｂがスクリーン１１に映るのを見ながら、スクリーン１１上のボタン１１ａに指９０の影１１ｂが重なるように指９０の位置を調節することができる。そして、スクリーン１１上のボタン１１ａに指９０の影１１ｂが重なった状態で利用者が指９０でタッチパネル１３に触れると、利用者がタッチパネル１３に触れた操作位置を位置算出部１４が算出し、位置算出部１４が算出した操作位置に応じた映像を映像生成部１５が生成する。
【００２３】
プロジェクタ１２によって投射するボタン１１ａとしては、例えば、早送り、巻き戻し、チャプター飛ばし等のボタンを表示しても良い。この場合、利用者は、プロジェクタ１２による映像の再生中に、自らの手の指９０の影１１ｂがスクリーン１１に映るのを見ながら手の指９０の位置を調節して、早送り、巻き戻し、チャプター飛ばし等の操作を行うことができる。なお、早送り、巻き戻し、チャプター飛ばし等のボタンがスクリーン１１に表示されるタイミングとしては、例えば、利用者がタッチパネル１３に触れたとき、映像表示装置１０が所定のボタンを映像ではなく物理的に備えていて利用者がそのボタンを押したときや、常時表示しておく等がある。
【００２４】
以上に説明したように、映像表示装置１０は、プロジェクタ１２によって投射される映像光に基づく映像とともに利用者によるタッチパネル１３への操作の様子がスクリーン１１に表示されるので、利用者に操作状況を直感的に理解させることができ、従来より操作性を向上することができる。
【００２５】
また、映像表示装置１０は、ポインタやリモコン等を利用者が手に持っていなくても利用者に操作されることができるので、従来より操作性を向上することができる。
【００２６】
また、映像表示装置１０は、スクリーン１１に映った影１１ｂを撮影するカメラを備えていなくても利用者に操作されることができるので、製造コストを従来より低減することができる。
【００２７】
また、映像表示装置１０は、利用者によるタッチパネル１３への操作の様子をスクリーン１１に表示させる光として映像光を利用しているので、利用者によるタッチパネル１３への操作の様子をスクリーン１１に表示するためにプロジェクタ１２とは別の光源を備える必要が無く、利用者によるタッチパネル１３への操作の様子をスクリーン１１に表示するためにプロジェクタ１２とは別の光源を備える場合と比較して、構成を簡略化することができる。
【００２８】
なお、スクリーン１１は、図４に示すように、車両８０の内部の天井から垂れ下がるように設置されているが、図４に示す設置位置及び設置方法以外の設置位置及び設置方法で設置されるようになっていても良い。例えば、スクリーン１１は、車両８０の内部の天井に設置された図示していないロールに巻き取られるようになっていても良いし、収納されないようになっていても良い。
【００２９】
また、プロジェクタ１２は、図４に示すように、車両８０の内部の天井に設置されているが、図４に示す設置位置及び設置方法以外の設置位置及び設置方法で設置されるようになっていても良い。
【００３０】
また、タッチパネル１３の設置位置は、スクリーン１１とプロジェクタ１２との間の空間内の位置であって利用者によって操作可能な位置であれば良く、図４に示す位置に限定されない。例えば、図３及び図４に示すように車両８０の後部座席用として映像表示装置１０が設置される場合、スクリーン１１の大きさが４０インチ、スクリーン１１とプロジェクタ１２との距離が１２０ｃｍとすると、車両８０の後部座席に座る利用者の位置から計算して、タッチパネル１３の大きさを約２０インチ、プロジェクタ１２とタッチパネル１３との距離を約６０ｃｍとするのが好ましい。
【００３１】
（第２の実施の形態）
まず、第２の実施の形態に係る映像表示装置の構成について説明する。
【００３２】
なお、本実施の形態に係る映像表示装置の構成のうち、第１の実施の形態に係る映像表示装置１０（図１参照。）の構成と同様な構成については、映像表示装置１０の構成と同一の符号を付して詳細な説明を省略する。
【００３３】
図５及び図６に示すように、本実施の形態に係る映像表示装置２０の構成は、プロジェクタ１２とは別の光源である光源部２１と、光源部２１から出力されてタッチパネル１３を通過した光をスクリーン１１に向けて反射する反射部２２とを映像表示装置１０（図１参照。）が備えた構成と同様である。
【００３４】
なお、タッチパネル１３及び反射部２２は、プロジェクタ１２からスクリーン１１に投射される映像光を遮らない位置に配置されている。
【００３５】
次に、映像表示装置２０の動作について説明する。
【００３６】
光源部２１によって出力された光は、タッチパネル１３を通過し、反射部２２で反射してスクリーン１１に届く。したがって、図６に示すように、プロジェクタ１２によってスクリーン１１上にボタン１１ａが映像として表示させられているとき、利用者は、自らの手の指９０の影１１ｂがスクリーン１１に映るのを見ながら、スクリーン１１上のボタン１１ａに指９０の影１１ｂが重なるように指９０の位置を調節することができる。そして、スクリーン１１上のボタン１１ａに指９０の影１１ｂが重なった状態で利用者が指９０でタッチパネル１３に触れると、利用者がタッチパネル１３に触れた操作位置を位置算出部１４が算出し、位置算出部１４が算出した操作位置に応じた映像を映像生成部１５が生成する。
【００３７】
以上に説明したように、映像表示装置２０は、利用者によるタッチパネル１３への操作の様子がプロジェクタ１２とは別の光源部２１によってスクリーン１１に表示されるので、操作領域１３ａによって映像光を遮らなくても良く、映像光の光量、コントラスト等を保持することができる。
【００３８】
なお、映像表示装置２０は、反射部２２を備えているが、反射部２２を備えずに光源部２１の光がタッチパネル１３を通過してスクリーン１１に直接照射されるようになっていても良い。また、映像表示装置２０は、光源部２１からの光の焦点や投射位置をスクリーン１１に合わせるためのレンズ機構を反射部２２が有していても良い。
【００３９】
また、光源部２１を点灯させるタイミングとしては様々なタイミングが考えられ得るが、例えば、映像表示装置２０は、利用者の入力操作が必要な場面の映像をスクリーン１１に表示している場合や、利用者の入力操作が必要な場面の映像をスクリーン１１に表示しているときに利用者がタッチパネル１３に触れた場合等に、映像生成部１５が所定の情報を光源部２１に出力し、映像生成部１５からの所定の情報を光源部２１が受けて点灯するようになっていても良い。
【００４０】
また、光源部２１を消灯させるタイミングとしては様々なタイミングが考えられ得るが、例えば、映像表示装置２０は、利用者の入力操作が必要でない場面である場合や、利用者によって一定時間以上タッチパネル１３が触れられなかった場合等に、光源部２１に消灯させるようになっていても良い。
【産業上の利用可能性】
【００４１】
以上のように、本発明に係る映像表示装置は、従来より操作性を向上することができるという効果を有し、車載用やホームシアター用の映像表示装置等として有用である。
【図面の簡単な説明】
【００４２】
【図１】本発明の第１の実施の形態に係る映像表示装置のブロック図
【図２】図１に示す映像表示装置の斜視図
【図３】図１に示す映像表示装置を搭載した車両の斜視図
【図４】図１に示す映像表示装置を搭載した車両の側面図
【図５】本発明の第２の実施の形態に係る映像表示装置のブロック図
【図６】図５に示す映像表示装置の斜視図
【符号の説明】
【００４３】
１０  映像表示装置
１１  スクリーン
１２  プロジェクタ
１３  タッチパネル（操作部）
１３ａ  操作領域
１４  位置算出部（変更部）
１５  映像生成部（変更部）
２０  映像表示装置
８０  車両
【図１】
2006064862.tif 000003
【図２】
2006064862.tif 000004
【図３】
2006064862.tif 000005
【図４】
2006064862.tif 000006
【図５】
2006064862.tif 000007
【図６】
2006064862.tif 000008